(57)【要約】【課題】通信費用がかからずに、情報登録または情報取得を受け付ける通信ネットワーク上の情報処理装置にアクセスする接続先情報を移動通信端末に送信することのできる情報送信装置および移動体通信端末並びにそれらを用いた情報提供方法および情報登録方法を提供する。【解決手段】移動体通信端末２０が近距離用無線非公衆通信モードとなったら、情報送信装置１０は、リンク情報記憶手段１１２に保存されているリンク情報を近距離用無線非公衆通信を用いて移動体通信端末２０へ送信する。移動体通信端末２０は、リンク情報に基づいてＷＥＢサーバ４２にアクセスする。【選択図】図５
2007259119.tif 000002
【特許請求の範囲】
【請求項１】
移動体通信端末との間で近距離用無線非公衆通信により通信可能な情報送信装置において、
情報登録または情報取得を受け付ける通信ネットワーク上の情報処理装置にアクセスするための接続先情報を記憶する記憶手段と、
前記移動体通信端末との間で近距離用無線非公衆通信による通信可能な状態となったとき、前記接続先情報を移動体通信端末に送信する送信手段とを備えたことを特徴とする情報送信装置。
【請求項２】
請求項１に記載の情報送信装置において、
前記接続先情報は、前記移動体通信端末の利用者が取得する情報を指定する指定情報を含むことを特徴とする情報送信装置。
【請求項３】
請求項１に記載の情報送信装置において、
前記接続先情報は、前記移動体通信端末の利用者が参加登録する特定サービスの識別情報を含むことを特徴とする情報送信装置。
【請求項４】
請求項１に記載の情報送信装置において、
前記接続先情報は、当該情報送信装置の識別情報を含むことを特徴とする情報送信装置。
【請求項５】
情報送信装置との間で近距離用無線非公衆通信により通信可能な移動体通信端末において、
前記情報送信装置と近距離用無線非公衆通信が可能となるように通信モードを切り替えるモード切替手段と、
前記近距離用無線非公衆通信によって送信された、利用者による情報登録または情報取得を受け付ける通信ネットワーク上の情報処理装置にアクセスするための接続先情報を受信する受信手段とを備え、
前記接続先情報に基づいて前記情報処理装置へ自動的にアクセスすることを特徴とする移動体通信端末。
【請求項６】
請求項５に記載の移動体通信端末において、
前記接続先情報は、利用者が取得する情報を指定する指定情報を含み、
前記情報処理装置から前記指定情報で指定した情報を受信することを特徴とする移動体通信端末。
【請求項７】
請求項５に記載の移動体通信端末において、
前記接続先情報は、利用者が参加登録する特定サービスの識別情報を含み、
前記特定サービスに参加登録するための登録情報を前記情報処理装置に送信することを特徴とする移動体通信端末。
【請求項８】
請求項５に記載の移動体通信端末において、
前記接続先情報は、前記情報送信装置の識別情報を含み、
当該移動体通信端末の端末識別情報を前記情報処理装置に送信することを特徴とする移動体通信端末。
【請求項９】
通信ネットワーク上の情報処理装置にアクセスする接続先情報を、情報送信装置から近距離用無線非公衆通信により移動体通信端末へ送信するステップと、
前記移動体通信端末が、前記接続先情報に基づいて前記情報処理装置にアクセスするステップとを備えたことを特徴とする情報提供方法。
【請求項１０】
移動体通信端末の利用者が参加登録する特定サービスの識別情報を含んだ通信ネットワーク上の情報処理装置へアクセスする接続先情報を、情報送信装置から近距離用無線非公衆通信により前記移動体通信端末へ送信するステップと、
前記移動体通信端末が、前記接続先情報に基づいて前記情報処理装置にアクセスするステップと、
前記移動体通信端末が、前記特定サービスの識別情報と前記特定サービスに参加登録するための登録情報とを前記情報処理装置へ送信するステップと、
前記情報処理装置が、前記特定サービスの識別情報と前記特定サービスに参加登録するための登録情報とに基づいて特定サービスへの参加登録を行うステップとを備えたことを特徴とする情報登録方法。
【請求項１１】
情報送信装置の識別情報を含んだ通信ネットワーク上の情報処理装置へアクセスする接続先情報を、前記情報送信装置から近距離用無線非公衆通信により移動体通信端末へ送信するステップと、
前記移動体通信端末が、前記接続先情報に基づいて前記情報処理装置にアクセスするステップと、
前記移動通端末が前記情報送信装置の識別情報と前記移動体通信端末の端末識別情報とを前記情報処理装置へ送信するステップと、
前記情報処理装置が、前記識別情報と前記端末識別情報とを関連づけて登録処理を行うステップとを備えたことを特徴とする情報登録方法。
【請求項１２】
請求項１１に記載の情報登録方法において、
前記情報処理装置に前記識別情報と前記端末識別情報とが関連づけて登録されていたとき、カウント値を増加させるステップを備えたことを特徴とする情報登録方法。
【発明の詳細な説明】
【技術分野】
【０００１】
本発明は、近距離用無線非公衆通信により通信可能な情報送信装置および移動体通信端末、並びにそれらを用いた情報提供方法および情報登録方法に関するものである。
【背景技術】
【０００２】
特許文献１には、ＷＥＢページのリンク情報（接続先情報）をメールで利用者の移動体通信端末に送信するシステムが記載されている。利用者がメールのリンク情報をクリックすると、通信ネットワーク上の情報処理装置たるＷＥＢサーバへ情報取得要求と、ＷＥＢページのＵＲＬとが移動体通信端末から送信される。ＷＥＢサーバは、ＷＥＢページのＵＲＬに基づき移動体通信端末にＷＥＢページを送信している。
【０００３】
また、近年においては、友人や知人など特定のグループのみがブログや掲示板を閲覧できるサービスが提供されている。このグループに参加する場合は、まず、グループのメンバーからのこのグループへの参加登録の手続きを行うサイトへのリンク情報とグループの識別情報（グループＩＤ）などが記載された招待メールなどを受信する。そして、被招待者が、招待メールのリンク情報をクリックして、通信ネットワーク上の登録情報を受け付ける情報処理装置たる認証システムのグループへの参加登録の手続きを行うサイトに接続して、グループの識別情報と、メールアドレスなどの特定サービスに参加登録するのに必要な情報を登録する。これにより、被招待者が登録されてこのグループの参加が許可される。
【０００４】
【特許文献１】特開２００２−０４１４２４号公報
【発明の開示】
【発明が解決しようとする課題】
【０００５】
特許文献１においては、メールでＷＥＢページのリンク情報を利用者に知らせるので、メールの受信処理に要する通信費がかかってしまうという問題があった。
【０００６】
また、グループへの登録処理においても、メールでグループへの参加登録の手続きを行うサイトを知らせるため、メールの受信処理に要する通信費がかかってしまうという問題があった。
【０００７】
本発明は、上記問題に鑑みなされたものであり、その目的は、通信費用がかからずに、情報登録または情報取得を受け付ける通信ネットワーク上の情報処理装置にアクセスする接続先情報を移動体通信端末に送信することのできる情報送信装置、情報提供方法および情報登録方法を提供することである。
また、他の目的は、通信費用がかからずに、通信ネットワーク上の情報登録または情報取得を受け付ける情報処理装置にアクセスする接続先情報を受信することのできる移動体通信端末、情報提供方法および情報登録方法を提供することである。
【課題を解決するための手段】
【０００８】
上記目的を達成するために、請求項１の発明は、移動体通信端末との間で近距離用無線非公衆通信により通信可能な情報送信装置において、情報登録または情報取得を受け付ける通信ネットワーク上の情報処理装置にアクセスするための接続先情報を記憶する記憶手段と、前記移動体通信端末との間で近距離用無線非公衆通信による通信可能な状態となったとき、前記接続先情報を移動体通信端末に送信する送信手段とを備えたことを特徴とするものである。
また、請求項２の発明は、請求項１に記載の情報送信装置において、前記接続先情報は、前記移動体通信端末の利用者が取得する情報を指定する指定情報を含むことを特徴とするものである。
また、請求項３の発明は、請求項１に記載の情報送信装置において、前記接続先情報は、前記移動体通信端末の利用者が参加登録する特定サービスの識別情報を含むことを特徴とするものである。
また、請求項４の発明は、請求項１に記載の情報送信装置において、前記接続先情報は、当該情報送信装置の識別情報を含むことを特徴とするものである。
【０００９】
また、請求項５の発明は、情報送信装置との間で近距離用無線非公衆通信により通信可能な移動体通信端末において、前記情報送信装置と近距離用無線非公衆通信が可能となるように通信モードを切り替えるモード切替手段と、前記近距離用無線非公衆通信によって送信された、利用者による情報登録または情報取得を受け付ける通信ネットワーク上の情報処理装置にアクセスするための接続先情報を受信する受信手段とを備え、前記接続先情報に基づいて前記情報処理装置へ自動的にアクセスすることを特徴とするものである。
また、請求項６の発明は、請求項５に記載の移動体通信端末において、前記接続先情報は、利用者が取得する情報を指定する指定情報を含み、前記情報処理装置から前記指定情報で指定した情報を受信することを特徴とするものである。
また、請求項７の発明は、請求項５に記載の移動体通信端末において、前記接続先情報は、利用者が参加登録する特定サービスの識別情報を含み、前記特定サービスに参加登録するための登録情報を前記情報処理装置に送信することを特徴とするものである。
また、請求項８の発明は、請求項５に記載の移動体通信端末において、前記接続先情報は、前記情報送信装置の識別情報を含み、当該移動体通信端末の端末識別情報を前記情報処理装置に送信することを特徴とするものである。
【００１０】
請求項９の発明は、情報提供方法において、通信ネットワーク上の情報処理装置にアクセスする接続先情報を、情報送信装置から近距離用無線非公衆通信により移動体通信端末へ送信するステップと、前記移動体通信端末が、前記接続先情報に基づいて前記情報処理装置にアクセスするステップとを備えたことを特徴とするものである。
【００１１】
請求項１０の発明は、情報登録方法において、移動体通信端末の利用者が参加登録する特定サービスの識別情報を含んだ通信ネットワーク上の情報処理装置へアクセスする接続先情報を、情報送信装置から近距離用無線非公衆通信により前記移動体通信端末へ送信するステップと、前記移動体通信端末が、前記接続先情報に基づいて前記情報処理装置にアクセスするステップと、前記移動体通信端末が、前記特定サービスの識別情報と前記特定サービスに参加登録するための登録情報とを前記情報処理装置へ送信するステップと、前記情報処理装置が、前記特定サービスの識別情報と前記特定サービスに参加登録するための登録情報とに基づいて特定サービスへの参加登録を行うステップとを備えたことを特徴とするものである。
また、請求項１１の発明は、情報登録方法において、情報送信装置の識別情報を含んだ通信ネットワーク上の情報処理装置へアクセスする接続先情報を、前記情報送信装置から近距離用無線非公衆通信により移動体通信端末へ送信するステップと、前記移動体通信端末が、前記接続先情報に基づいて前記情報処理装置にアクセスするステップと、前記移動通端末が前記情報送信装置の識別情報と前記移動体通信端末の端末識別情報とを前記情報処理装置へ送信するステップと、前記情報処理装置が、前記識別情報と前記端末識別情報とを関連づけて登録処理を行うステップとを備えたことを特徴とするものである。
また、請求項１２の発明は、請求項１１に記載の情報登録方法において、前記情報処理装置に前記識別情報と前記端末識別情報とが関連づけて登録されていたとき、カウント値を増加させるステップを備えたことを特徴とするものである。
【００１２】
なお、上記「情報送信装置」としては、パーソナルコンピュータ等のコンピュータ装置、移動体通信端末など、移動体通信端末間で近距離用無線非公衆通信可能な装置が挙げられる。
また、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone Service）、自動車電話機等の電話機のうち、近距離用無線非公衆通信装置を備えたものが挙げられる。また、この「移動体通信端末」としては、上記電話機のほか、電話機能を有しないＰＤＡ（Personal Digital Assistance）等の移動型の移動体通信端末も挙げられる。
また、近距離用無線非公衆通信は、赤外線、Bluetooth（登録商標）、ＩＥＥＥ８０２．１１等で規格された無線通信を用いて行ったりすることができる。
【発明の効果】
【００１３】
請求項１乃至４並びに請求項９乃至１２に記載の発明によれば、通信ネットワーク上の情報登録または情報取得を受け付ける情報処理装置にアクセスする接続先情報を近距離用無線非公衆通信によって移動体通信端末に送信するので、移動体通信端末の通信費用をかけずに、接続先情報を移動体通信端末に送信することができる。
【００１４】
請求項５乃至１２に記載の発明によれば、通信ネットワーク上の情報登録または情報取得を受け付ける情報処理装置にアクセスする接続先情報を近距離用無線非公衆通信によって受信するので、通信費用をかけずに、接続先情報を受信することができる。
【発明を実施するための最良の形態】
【００１５】
以下、本発明の実施形態について説明する。
図１は、情報送信装置１０と移動体通信端末２０とを示すブロック図である。情報送信装置１０は、ネットワーク上の情報取得を受け付ける情報処理装置たるＷＥＢサーバ４２などの各種サーバへアクセスするための接続先情報たるリンク情報が記憶されたリンク情報記憶手段１１２と、制御手段１１１と、データ送受信手段１１０とを備えている。移動体通信端末２０は、データ送受信手段２１０、制御手段２１１と、表示手段２１３と、通信網用通信手段２１２とを備えている。
本実施形態では、情報送信装置１０と移動体通信端末２０との通信は、赤外線を用いて行ったり、Bluetooth（登録商標）やＩＥＥＥ８０２．１１等で規格された無線通信を用いて行ったりすることができる。
【００１６】
図２は、移動体通信端末２０の外観図であり、図３は移動体通信端末２０のハードウェア構成を示す概略構成図である。この移動体通信端末２０は、システムバス２００、ＣＰＵ２０１、ＲＡＭ２０２やＲＯＭ２０３等からなるデータ記憶手段、入力装置２０４、出力装置２０５、移動体通信網用通信装置２０６、外部接続用インターフェース装置２０７を備えている。ＣＰＵ２０１やＲＡＭ２０２等の構成要素は、システムバス２００を介して、互いに各種データや後述のプログラムの命令等のやり取りを行っている。上記出力装置２０５は、液晶ディスプレイ（ＬＣＤ）２７、スピーカ２８等から構成されている。上記移動体通信網用通信装置２０６は、移動体通信網を介して他の移動体通信端末や通信ネットワーク上の情報処理装置である各種サーバと通信するためのものである。
また、上記撮像デバイス２９としては、ＣＣＤ（Charge Coupled Device）カメラやＣＭＯＳカメラを用いることができる。また、使用環境に応じて、信号処理機能を備えた高速撮像が可能な人工網膜カメラや、赤外線やガンマ線等の可視光線以外の波長領域に感度を有するカメラを用いてもよい。この撮像デバイス２９は、人物や風景等の画像を撮影したり、接写機能により１次元や２次元のコード画像を撮影したりするときに用いられる。
【００１７】
また、上記外部接続用インターフェース装置２０７は、情報送信装置１０との間で近距離用無線非公衆通信を行うためのものである。
【００１８】
移動体通信端末２０は、図３に示したハードウェア上で所定のプログラムを実行することにより、図１に示すデータ送受信手段２１０、制御手段２１１の各機能を実現している。
上記データ送受信手段２１０は、移動体通信端末２０のＣＰＵ２０１、外部接続用インターフェース装置２０７等により構成され、赤外線などの無線通信によって外部装置１０とデータを送受信する機能を有している。
上記制御手段２１１は、移動体通信端末２０のＣＰＵ２０１、ＲＡＭ２０２等により構成され、通常キー操作動作モードと近距離用無線非公衆通信モードとを選択的に実行する機能を有している。通常キー操作動作モード（以下「通常モード」という。）は、利用者が上記キーを操作したときにそのキー操作に応じて移動機２０を動作させる動作モードである。近距離用無線非公衆通信モードは、データ送受信手段２１０で情報送信装置１０へ情報取得要求を送信して、接続先情報たるリンク情報を情報送信装置１０から受信するモードである。なお、リンク情報には、画像ファイルなどの特定の情報を取得するための指定情報、グループＩＤなど参加登録する特定サービスの識別情報、情報送信装置１０の識別情報などを含んでもよい。
上記表示手段２１３は、移動体通信端末２０のＣＰＵ２０１、液晶ディスプレイ（ＬＣＤ）２７等により構成され、ＷＥＢサーバ４２から受信したＷＥＢページを表示する機能を有している。
上記通信網用通信手段２１２は、移動体通信網用通信装置２０６などで構成され、ＷＥＢサーバ４２などの通信ネットワーク上の情報処理装置たるＷＥＢサーバ４２と通信する機能を有している。
【００１９】
また、移動体通信端末２０のＲＡＭ２０２には、外部接続用インターフェース装置２０７がリンク情報（接続先情報）を受信したら、その受信したリンク先からＷＥＢページを取得する制御プログラムが記憶されている。
【００２０】
図４は、情報送信装置１０のハードウェア構成の一例を示す概略構成図である。この情報送信装置１０は、システムバス１００、ＣＰＵ１０１、ＲＡＭ１０２やＲＯＭ１０３等からなる内部記憶装置、ハードディスクドライブ（ＨＤＤ）や光ディスクドライブ等からなる外部記憶装置１０４、マウスやキーボード等からなる入力装置１０５、ディスプレイやプリンタ等からなる出力装置１０６、移動体通信端末２０と近距離用無線非公衆通信するための移動機接続用インターフェース装置１０７を備えている。この情報送信装置１０においてＣＰＵ１０１やＲＡＭ１０２等の構成要素はお互いに、システムバス１００を介して、データやプログラムの命令等のやり取りを行っている。情報送信装置１０を所定の手順に従って動作させるためのプログラムはＲＯＭ１０３に記憶されており、必要に応じてＣＰＵ１０１やＲＡＭ１０２上の作業エリアに呼び出されて実行される。
【００２１】
情報送信装置１０は、図４に示したハードウェア上で所定のプログラムを実行することにより、図１に示すデータ送受信手段１１０、制御手段１１１及びデータ記憶手段１１２の各機能を実現している。
上記データ送受信手段１１０は、情報送信装置１０のＣＰＵ１０１、移動機接続用インターフェース装置１０７等により構成され、近距離用無線非公衆通信によって移動体通信端末２０との間でデータを送受信する機能を有している。
上記リンク情報記憶手段１１２は、情報処理装置たる各種サーバにアクセスするためのリンク情報などを記憶している。このリンク情報の読み出しや保存は、制御手段１１１で制御される。
上記制御手段１１１は、情報送信装置１０のＣＰＵ１０１、ＲＡＭ１０２等により構成され、上記データ送受信手段１１０を制御する機能を有している。
【００２２】
図５は、移動体通信端末２０が情報送信装置１０からリンク情報を取得して、ディスプレイ２７にリンク先のＷＥＢページを表示するまでの制御フロー図である。図６は、移動体通信端末２０が情報送信装置１０からリンク情報を取得して、ディスプレイ２７にリンク先のＷＥＢページを表示するまでのシーケンス図である。
移動体通信端末２０が近距離用無線非公衆通信モードとなったら（Ｓ１のＹＥＳ）、情報送信装置１０へリンク情報取得要求と、移動体通信端末２０の識別情報（電話番号・移動体通信端末の識別番号等）を、外部接続用インターフェース装置２０７を用いて情報送信装置１０へ送信する（Ｓ２）。情報送信装置１０は、リンク情報取得要求および移動体通信端末の識別情報を移動機接続用インターフェース装置１０７で受信したら、リンク情報記憶手段１１２に保存されているリンク情報を移動体通信端末の識別情報を付与して移動機接続用インターフェース装置１０７で移動体通信端末２０へ送信する。移動体通信端末２０は、リンク情報および識別情報を外部接続用インターフェース装置２０７で受信したら（Ｓ３のＹＥＳ）、受信した識別情報が自機の移動体通信端末の識別情報と一致しているか否かをチェックする（Ｓ４）。受信した識別情報が自機の移動体通信端末の場合（Ｓ４のＹＥＳ）、受信したリンク先の取得要求をＷＥＢサーバ４２へ送信する（Ｓ５）。ＷＥＢサーバ４２は、移動体通信端末２０からの取得要求に応じて、リンク先のＷＥＢページを送信する。移動体通信端末がリンク先のＷＥＢページを受信したら、ディスプレイ２７にＷＥＢページを表示する（Ｓ７）。
【００２３】
上記情報送信装置１０は、店などに設置され、入店した客の移動体通信端末２０のリンク先情報取得要求に応じて、赤外線通信などの近距離用無線非公衆通信を用いて店の案内図や店の情報などを有するＷＥＢページのリンク先を送信する。近距離用無線非公衆通信を用いて移動体通信端末２０にリンク情報を送信するので、電子メールを用いて移動体通信端末にリンク情報を送信するものように通信費がかからない。また、客の移動体通信端末２０は、情報送信装置１０からリンク先情報を受信したら、ＷＥＢサーバ４２からリンク先のＷＥＢページを自動的に受信して、移動体通信端末２０のディスプレイ２７に表示する。これにより、移動体通信端末２０の利用者は、近距離用無線非公衆通信モードに切り替える操作をするだけで、店の情報が記載されたＷＥＢページを取得することができ、利用者の操作の手間を削減することができる。
【００２４】
次に、上述の情報送信装置１０を用いて移動体通信端末利用者の認証登録を行う例について説明する。
従来の利用者の認証登録サービスは、利用者がＷＥＢ上の特定のサービスを受けるために認証登録を行う際、所定のＷＥＢページから通信端末を操作して、認証登録を行うＷＥＢページへ遷移する。そして、認証登録を行う画面に所定の情報を登録すると、所定の認証番号（特定サービスの識別情報）がメールによって移動体通信端末に送信される。移動体通信端末の利用者は、この認証番号を入力することで、初めて特定のサービスが受けられるＷＥＢページを表示することができるようになっている。このように、従来においては、移動体通信端末の利用者の認証登録を行うための操作が多かった。また、メールで認証番号を送信するので、移動体通信端末利用者に通信費がかかっていた。以下に具体的に説明する認証登録サービスにおいては、利用者の上記のようなわずらわしい認証登録を行う必要がない。また、認証登録時の通信費を削減することができる。
【００２５】
図７は、情報登録処理を行う情報処理装置たる認証登録システム４００のブロック図である。認証登録システム４００は、ＷＥＢサーバ４２と、認証サーバ４３と、利用者サーバ４４とを備えている。ＷＥＢサーバ４２は、利用者端末に認証登録に関するＷＥＢページを送信する機能を有している。認証サーバ４３は、認証番号（特定サービスの識別情報）を保存しており、移動体通信端末２０から送信された認証番号が認証サーバ４３に保存されているかどうかを検索する検索機能を有している。利用者サーバ４４は、認証番号と移動体通信端末の識別情報（特定サービスに参加登録するための登録情報）とが関連付けられて記憶されている。また、情報送信装置１０は、認証登録システム４００と通信可能となっており、認証登録システム４００から認証番号を取得できるようになっている。
【００２６】
図８は、認証登録を行うときのシーケンス図である。
情報送信装置１０のリンク情報記憶手段１１２には、認証登録システム４００と通信を行って取得した認証番号が認証登録を行うサイトへのリンク情報に付与されて保存されている。情報送信装置１０は、移動体通信端末のリンク情報の取得要求に応じて、移動体通信端末１０にリンク情報と認証番号を送信する。移動体通信端末１０は、リンク情報と認証番号とを受信したら、リンク情報と認証番号とをＷＥＢサーバ４２へ送信する。ＷＥＢサーバ４２は、認証番号を認証サーバ４３へ送信して、認証番号があるか否かを検索する。認証番号がなかった場合は、移動体通信端末２０へ、認証登録できない旨のＷＥＢページを送信する。一方、認証番号がある場合は、認証登録を行ってよいか確認のＷＥＢページを移動体通信端末２０へ送信する。移動体通信端末の利用者が、ディスプレイ２７に表示された画面を確認してＯＫボタンを選択すると、移動体通信端末２０は、認証要求と移動体通信端末の識別情報をＷＥＢサーバ４２へ送信する。ＷＥＢサーバ４２は、利用者サーバ４４へ認証番号と移動体通信端末の識別情報とを送信し、利用者サーバ４４は、認証番号と移動体通信端末の識別情報とを関連付けて保存する。これにより、移動体通信端末１０が認証登録される。また、ＷＥＢサーバ４２は、登録を完了した旨のＷＥＢページを移動体通信端末２０に送信する。
【００２７】
図９は、移動体通信端末１０から特定のＷＥＢページの閲覧要求を受信した際の認証登録システムの制御フローである。
ＷＥＢサーバ４２が特定のＷＥＢページの閲覧要求を移動通信から受信すると（Ｓ１１のＹＥＳ）、ＷＥＢサーバ４２は、移動体通信端末１０の識別情報を要求する（Ｓ１２）。ＷＥＢサーバ４２が、移動体通信端末１０の識別情報を受信したら（Ｓ１３のＹＥＳ）、移動体通信端末１０の識別情報を認証サーバ４３へ送信する。認証サーバ４３は、利用者サーバ４４から、この移動体通信端末１０の識別情報を検索し（Ｓ１４）、検索結果をＷＥＢサーバ４２へ送信する。ＷＥＢサーバ４２が受信した検索結果が、識別情報ありの場合（Ｓ１４のＹＥＳ）は、特定のＷＥＢページを移動体通信端末１０に送信する（Ｓ１５）。これにより、認証登録された移動体通信端末１０が特定のＷＥＢページを閲覧することができる。一方、検索結果が、識別情報がない場合は（Ｓ１４のＮＯ）、認証登録されてない旨のＷＥＢページを移動体通信端末に送信する（Ｓ１６）。
【００２８】
このように、情報送信装置１０から認証番号がリンク情報とともに送信されて、自動的に認証登録が行われるため、認証登録を行うための操作が少なくなり、利用者の負担を軽減することができる。また、近距離用無線非公衆通信を用いて認証番号を取得するので、メールで認証番号を取得するものに比べて認証登録時の通信費を削減することができる。
【００２９】
上述の認証登録システム４００は、例えば、ソーシャルネットワークサービス（ＳＮＳ）に適用することができる。ソーシャルネットワークサービス（ＳＮＳ）とは、このサービスに参加登録した人の紹介のみでしかこのサービスに参加登録することができないサービスである。
このサービスの参加登録者は、自分の移動体通信端末の内部メモリに上記サービスサイトへのリンク情報と登録ＩＤとを保存している。そして、友人や知人をこのサービスに参加登録させる際は、友人や知人の移動体通信端末を近距離用無線非公衆通信モードに切り替えさせ、自分の移動体通信端末からリンク情報と紹介ＩＤとを近距離用無線非公衆通信によって送信する。友人や知人の移動体通信端末は、自動的に上記サービスサイトへアクセスし、紹介ＩＤと端末識別情報を上記認証システム４００に送信する。認証システム４００は、上述と同様の処理を行って、友人や知人の移動体通信端末を認証登録する。これにより、サービスの参加登録者の友人や知人が上記サービスに参加することができる。このようなソーシャルネットワークサービスに本発明を適用することで、サービスの参加者が、友人や知人をサービスに紹介するときに、サービスサイトへのリンク情報と登録ＩＤとが記載された紹介メールを友人や知人に送る必要がなくなる。
【００３０】
また、上述の認証登録システム４００を用いて、スタンプラリー的なサービスを行うことができる。サービス提供を行う店にそれぞれ異なるの認証番号（情報送信装置の識別情報）と認証登録システムにアクセスするためのリンク情報とを記憶した情報送信装置１０を設置する。利用者が、上記サービス提供を行う店に立ち寄った際に、利用者の移動体通信端末２０と情報送信装置１０と通信を行って、移動体通信端末２０の認証登録を行う。利用者が別のサービス提供を行う店に立ち寄った際に、利用者の移動体通信端末２０と情報送信装置１０と通信を行って、移動体通信端末２０の認証登録を行う。このように、利用者が、サービス提供を行っている店に立ち寄って、移動体通信端末２０の認証登録をそれぞれの店で行って、認証登録の件数を増やしていく。そして、利用者の認証登録数が所定数となったら、特定のサービスを受けられるようにする。このようなスタンプラリー的なサービスに上述の認証登録システム４００を用いることで、各店での認証登録の手間を軽減することができる。
【００３１】
また、上述の認証登録システム４００は、ポイントサービスにも適用できる。店に設置された情報送信装置１０には、認証番号（情報送信装置の識別情報）を記憶しておく。利用者が店を利用したときに、情報送信装置１０との移動体通信端末２０との間で近距離用無線非公衆通信を行い、認証番号を移動体通信端末に送信する。移動体通信端末２０は、自動的に受信した認証番号と移動体通信端末２０の識別情報とを認証登録システム４００へ送信する。移動体通信端末２０が認証登録されていない場合は、上述の図８に示した処理と同様の処理を行って、認証登録する。また、ポイント数を１に設定し、このポイント数を移動体通信端末２０の識別情報に付与して利用者サーバ４４に保存する。次に、利用者が店に来店した際に、同様に情報送信装置１０と近距離用無線非公衆通信を行って、認証番号を取得して、この認証番号と端末情報とを認証登録システム４００に送信する。この場合、既に認証登録が済んでいるので、ポイント数を１増加させて利用者サーバ４４に保存する。また、ポイント数が２である旨を表示するＷＥＢページを移動体通信端末へ送信する。そして、ポイント数が所定値に達したら、ポイントサービスが受けられる旨のＷＥＢページを送信する。このようなポイントサービスに適用した場合においても、初期の認証登録の手間を軽減することができる。
【図面の簡単な説明】
【００３２】
【図１】情報送信装置と移動体通信端末とを示すブロック図。
【図２】移動体通信端末の外観図。
【図３】移動体通信端末のハードウェア構成を示す概略構成図。
【図４】情報送信装置のハードウェア構成の一例を示す概略構成図。
【図５】移動体通信端末が情報送信装置からリンク情報を取得して、ディスプレイにリンク先のＷＥＢページを表示するまでの制御フロー図。
【図６】移動体通信端末が情報送信装置からリンク情報を取得して、ディスプレイにリンク先のＷＥＢページを表示するまでのシーケンス図。
【図７】認証登録サービスのブロック図。
【図８】認証登録を行うときのシーケンス図。
【図９】移動体通信端末から特定のＷＥＢページの閲覧要求を受信した際の認証登録システムの制御フロー図。
【符号の説明】
【００３３】
１０    情報送信装置
２０    移動体通信端末
４２    ＷＥＢサーバ
４００  認証システム
【図１】
2007259119.tif 000003
【図２】
2007259119.tif 000004
【図３】
2007259119.tif 000005
【図４】
2007259119.tif 000006
【図５】
2007259119.tif 000007
【図６】
2007259119.tif 000008
【図７】
2007259119.tif 000009
【図８】
2007259119.tif 000010
【図９】
2007259119.tif 000011